(57)【要約】【構成】主軸用モータなどのモータＭを必要とする工作機械が設置され、モータＭの加熱を防ぐ為にモータＭに連動して作動するファン８によりモータＭに空気を送って冷却を行っている工場において、ファン８のカバ−９にフイルター１１を付設して、モータＭは工作機械のモータとして、又、ファン８はモータＭの冷却ファンとして使用すると共に、ファン８がモータＭに連動して作動して工場内の空気を吸引する際に、フイルター１１により当該空気中の水や油や塵埃などを吸着するようにしてなる工場のクリーンルーム化システム及び装置。【効果】現存の設備を利用して工場のクリーンルーム化が実現できるので、排気ダクトを必要とせずにクリーンルーム化出来、又、窓の換気扇を用いる場合のような急激な室温の低下がなく、その他電気集塵装置などを使用する必要がなく、特別なクリーンルームを設置せずに、工場をクリーンルーム化できる。【選択図】　　　　図１
2004108602.tif 000002
【特許請求の範囲】
【請求項１】
主軸用モータなどのモータを必要とする工作機械などの機械器具装置が設置され、当該モータの加熱を防ぐ為に当該モータに連動して作動するファンにより当該モータに空気を送って冷却を行っている工場において、当該ファンにフイルターを付設して、当該モータは、機械器具装置のモータとして、又、当該ファンは、当該モータの冷却ファンとして使用すると共に、当該ファンが当該モータに連動して作動して工場内の空気を吸引する際に、当該フイルターにより当該空気中の水や油や塵埃などを吸着するようにしてなることを特徴とする工場における機械器具装置のモータとその冷却ファンとを利用した工場のクリーンルーム化システム。
【請求項２】
工作機械などの機械器具装置用モータと当該モータと連動して作動するファンと当該ファンに付設したフイルターとを備えてなり、当該モータは、機械器具装置のモータとして、又、当該ファンは、当該モータの冷却ファンとして使用すると共に、当該ファンが当該モータに連動して作動して工場内の空気を吸引する際に、当該フイルターにより当該空気中の水や油や塵埃などを吸着するようにしてなることを特徴とする工場における機械器具装置のモータとその冷却ファンとを利用した工場のクリーンルーム化装置。
【発明の詳細な説明】
【０００１】
【発明の属する技術分野】
本発明は、工場のクリーンルーム化システム及び工場のクリーンルーム化装置に関するものである。
【０００２】
【従来の技術】
工作機械例えば切削機械が設置された工場においては、工作物の切削の為に、水や油などが使用され、その水や油が飛散して当該工作機械や作業床などに付着したり或いは工場内の作業室の空気中に混入しその作業室の雰囲気を悪いものにしたりしている。又、当該切削作業の際には、細かな切削屑や塵埃等が出てその雰囲気を益々悪いものにしたりしている。更に、工作機械に使用されているモータに、油が付着して、ベトベトしている。
フイルターを付設した排気ダクトを設けて排気すれば、環境が改善されるが、ダクト装置の設置には、高価な費用を要するだけでなく、フイルターの交換に大変な手間を要する。
又、窓に設置された換気扇を用い、当該換気扇にエアフイルターを付設して、室内の空気を排出する際に、当該エアフイルターにて、室（部屋）内の塵埃等を吸着させることも行われているが、当該換気扇の作動により、部屋の空気全体を外に排出するので、特に冬季には室の温度を急激に低下させてしまう等の欠点がある。
その他、電気集塵装置やサイクロン（遠心脱塵器）やガス濾過器（ガスフイルター）なども使用されているが、これらは特別の態様で用いられ、又、その設置には高価な費用が掛かる。
一方、半導体装置製造設備などでは、高度のクリーン状態が望まれるので、各種の工夫の施されたクリーンルームが設置されているが、前記のような工作機械等が設置された工場においては、当該クリーンルーム内部において作業する訳ではなく、水や油が飛散し、且つ、悪い雰囲気下での作業をせざる得ない状況下にある。
【０００３】
【発明が解決しようとする課題】
本発明は、上記のような従来技術の有する欠点を解消することができる技術を提供することを目的としたものである。
本発明の他の目的および新規な特徴は以下の明細書及び図面の記載からも明らかになるであろう。
【０００４】
【課題を達成するための手段】
本発明は、主軸用モータなどのモータを必要とする工作機械などの機械器具装置が設置され、当該モータの加熱を防ぐ為に当該モータに連動して作動するファンにより当該モータに空気を送って冷却を行っている工場において、当該ファンにフイルターを付設して、当該モータは、機械器具装置のモータとして、又、当該ファンは、当該モータの冷却ファンとして使用すると共に、当該ファンが当該モータに連動して作動して工場内の空気を吸引する際に、当該フイルターにより当該空気中の水や油や塵埃などを吸着するようにしてなることを特徴とする工場における機械器具装置のモータとその冷却ファンとを利用した工場のクリーンルーム化システムに係るものである。
又、本発明は、工作機械などの機械器具装置用モータと当該モータと連動して作動するファンと当該ファンに付設したフイルターとを備えてなり、当該モータは、機械器具装置のモータとして、又、当該ファンは、当該モータの冷却ファンとして使用すると共に、当該ファンが当該モータに連動して作動して工場内の空気を吸引する際に、当該フイルターにより当該空気中の水や油や塵埃などを吸着するようにしてなることを特徴とする工場における機械器具装置のモータとその冷却ファンとを利用した工場のクリーンルーム化装置に係るものである。
【０００５】
【実施の最良の形態】
図面は、本発明の実施例を示し、図１は、工場のクリーンルーム化装置の構成図、図２（Ａ）は、本発明に使用されるファンの一例構成図、図２（Ｂ）は、本発明に使用されるモータの一例構成図、図３は、本発明に使用されるファンのカバーとフイルターとマジック粘着テープとの説明図、図４（Ａ）は、工作機械の一例説明図、図４（Ｂ）は、切削作業の一例説明図である。
【０００６】
【実施例】
本発明は、工作機械などの機械器具装置が設置された工場において、当該機械器具装置の駆動に必要な電動機（モータ）がオ−バ−ヒートにしないように、ファン（Ｆａｎ）により当該モータに空気を送って当該モータを冷却する際に、当該ファンにフイルターを付設することにより、当該モータは、工作機械の原動機や動力発生装置として、又、当該ファンは、当該モータの冷却ファンとして依然として使用できるだけではなく、当該ファンにフイルターを付設することにより、当該ファンが空気（気体）を吸引する際に、当該フイルターが、工場内の水や油や塵埃などを吸着するので、工場の作業場をクリーンルーム化できることを見出して完成されたものである。
又、フイルターを付設することにより、電動機（モータ）とそのファンとが工場のクリーンルーム化装置に変えることができることを特徴とする。
通常、機械器具装置の駆動に必要な電動機（モータ）は、長時間使用されたりするので、オ−バ−ヒートし易く、その為に、モータ自体にもフイン（Ｆｉｎ）やヒートシンク（Ｈｅａｔ　Ｓｉｎｋ）などと称される放熱部が設けられており、ファンから送られたエアーは、モータの外周の当該放熱部に送られ、当該放熱部にて、より一層効率的な冷却が行われるようになっている。
従って、当該冷却ファンにフイルターを付設することは、当該冷却ファンによる冷却効率を落とし、モータへのエアーの供給を阻害し、モータに熱がこもり易くし、モータをオーバーヒートさせ易いと考えられていたのであるが、本発明によれば、モータとファンとフイルターにより、冷却ファンを備えた工作機械の駆動源として使用できると共に、モータとファンとフイルターが、工場のクリーンルーム化装置ともなり得ることが判ったのである。又、むしろ、ファンにフイルターを付設すると工作機械に使用されているモータへの油の付着が少なくなるので、モータの冷却効率が向上し得ることも判った。
【０００７】
次に、本発明を詳述する。
図４（Ａ）に示すように、例えば、フライス盤Ｆでは、軸にはめた刃物（フライス）１を回転させ、工作品（工作物）２にテーブル３にて送りを与えて切削する際に、水や油などが使用され、当該水や油が、当該フライス盤Ｆに付着したり、作業床に付着したりする。又、当該切削作業を行っている部屋の空気中に混入し部屋の雰囲気を悪いものにしている。更に、当該切削作業の際には、細かな切削屑や塵埃などが出てその雰囲気を益々悪いものにしたりしている。
当該切削には、図４（Ｂ）に示すような、といし１のと粒で工作物２の表面を削り取って平滑にする等の各種の態様もある。
図４（Ａ）に示すように、フライス盤Ｆでは、例えば、主軸用モータ４、送り用モータ５及び切削油用モータ６の３個のモータＭが付いている。図示が省略されているが、当該３個のモータ４、５、６の各々には、当該モータの軸に連結されモータの駆動に連動して作動するファンが取り付けられている。
又、当該ファンには、カバーが取り付けられ、そのカバーにはフイルターが取り付けられている。
【０００８】
図１に示すように、モータＭのモータ軸７には軸心ファン８が取り付けられ、当該ファン８は、当該モータＭと共に作動する。ファン８は、カバー９にて覆われている。カバー９には、エアーの流れ孔１０が設けられている。カバー９には、フイルター１１を、止着具１２を介して、付設する。
【０００９】
図２（Ｂ）に、モータＭの一例を示す。当該モータＭは、電力の供給を受けて機械動力を発生する原動機である電動機（Ｅｌｅｃｔｒｉｃ　Ｍｏｔｏｒ）（モートル）の他、広くは、原動機、動力発生装置と称されるものも包含する。又、当該モータは、直流電動機でも交流電動機でもよい。
図示のモータＭは、三相かご形誘動電動機で、三相の２００Ｖ交流を電源とするモータであり、例えば、絶縁の許容最高温度が１０５°のＡタイプや同温度が、１２０°のＥタイプなどがある。
図示のように、当該モータＭには、その外周に、フイン（Ｆｉｎ）やヒートシンク（Ｈｅａｔ　Ｓｉｎｋ）などと称される放熱部１３が設けられている。
又、モータ軸７が設けられている。当該モータ軸７にファン８が連結されモータＭの駆動に連動して作動するようになっている。
【００１０】
図２（Ａ）に、ファン８の一例を示す。
当該ファン（Ｆａｎ）８の例としては、前記モータ軸７に連結され当該モータ軸７の駆動に連動して作動する羽根１４を有している所謂軸心ファンが好ましいが、他に、送風機や扇風機等が挙げられる。
送風機（ブロア　Ｂｌｏｗｅｒ）は、空気や他の気体に圧力を与えて送り出す装置で、普通圧送する圧力２５〜３０ｍｍ（水銀柱）以下のものをいい、比較的に圧力の高いものを圧縮機（コンプレッサー　Ｃｏｍｐｒｅｓｓｏｒ）といい、又、単に気体（主に、空気）を流動させるものを特に通風機（ベンチレーター、Ｖｅｎｔｉｌａｔｏｒ）という。圧力水柱にて３５０〜４００ｍｍ以下のものを称して、特に、ファン（ｆａｎ）という場合もある。
送風機の例には、遠心送風機（Ｃｅｎｔｒｉｆｕｇｅ　ｆａｎ）−Ｂｌｏｗｅｒがあり、当該遠心送風機は、遠心力を利用した送風機であり、ディフューザ、羽根車などからなり、当該送風機自体に電動機を備えていてもよいが、前述のように、電動機を備えずに、工作機械のモータＭと連動し、当該工作機械のモータＭを駆動源とする方がよい。
扇風機（Ｅｌｅｃｔｒｉｃ　Ｆａｎ）は、電力で翼を回して風を起こす装置で、固定型、首振り型、旋回型など各種有るが、固定型が好ましい。
【００１１】
図３に示すように、カバー９の天蓋には、空気流れ孔１０が多数孔設されている。
フィルター１１は、例えば、ポリエステル６０％とモダアクリル４０％とからなる不織布よりなる。例えば厚さ７ｍｍに構成される。モータが熱を持つので、難燃性であることが望ましい。低圧力損失のモータＭに熱がこもらないようなものが望ましい。
フィルター１１は、モータの容量やカバーの大きさなどを考慮して各種サイズのものから選択できるようにしておくとよい。
フィルター１１は、モータＭが通常円形で、又、ファンやファンカバーも円形が多いので、円形のものが好ましい。
止着具１２は、例えば、マジック粘着テープにより構成される。フィルター１１の交換などを考慮して、止着具１２により、容易に当該フイルター１１が取付け、取外し出来るようにしておくとよい。図３に示すように、カバー９の天蓋の例えば４カ所にマジック粘着テープ１２を付着させ、当該マジック粘着テープ１２の上から当該フイルター１１を取付固定する。
当該マジック粘着テープ１２は、モータが熱を持つので耐熱性を備え、又、フイルター１１がカバーから容易に外れないような粘着性を有することが望ましい。
【００１２】
上記のように、主軸用モータなどのモータＭのモ−タ軸７にファン８を連結し、ファン８のカバー９にフイルター１１をマジック粘着テープ１２で固定すると、ファン８はモータＭのヒートシンク１３に空気を送風してモータＭを冷却すると共に、ファン８が吸引する空気中の水、油、塵埃などを当該フイルター１１が吸着濾過する。これにより、現存の設備のままで工場のクリーンルーム化が実現できる。
又、フイルター１１の追加で、現存のモータＭとファン８とからなる装置が、工場のクリーンルーム化装置にも変身できる。
【００１３】
本発明は、前記実施例に限定されず各種変更が可能である。
例えば、前記実施例では、カバーを用いた例を示したが、フイルターに直接付設することもできる。
前記実施例では、モータを立てに使用する例を示したが、モータを横等に使用してもよい。
本発明は、フライス盤の他の旋盤機械等の工作機械などにも適用できる。
本発明は、自動車、カメラ、弱電、半導体などの各種工場に適用できる。
【００１４】
【発明の効果】
本願において開示される発明のうち代表的なものによって得られる効果を簡単に説明すれば、下記のとおりである。
すなわち、本発明によれば、工作機械などの機械器具装置が設置された工場において、当該機械器具装置の駆動に必要なモータがオ−バ−ヒートにしないように、ファンにより当該モータに空気を送って当該モータを冷却しているときに、当該ファンにフイルターを付設することにより、当該モータは、工作機械の原動機や動力発生装置として、又、当該ファンは、当該モータの冷却ファンとして依然として使用できるだけではなく、当該ファンにフイルターを付設することにより、当該ファンが空気（気体）を吸引する際に、当該フイルターが、工場内の水や油や塵埃などを吸着するので、工場をクリーンルーム化でき、工作機械に使用されているモータへの油の付着が少なくなるので、モータの冷却効率が向上し得る。
現存の設備を利用して工場のクリーンルーム化が実現できるので、排気ダクトを必要とせず、少ない費用で工場のクリーンルーム化が実現でき、環境が改善されるが、フイルターの交換が簡単容易で手間を要せずに環境を改善することができ、又、窓の換気扇を用いる場合のような急激な室温の低下がなく、その他、電気集塵装置やサイクロン（遠心脱塵器）やガス濾過器（ガスフイルター）などを使用する必要がなく、更には、特別なクリーンルームを設置せずに、工場をクリーンルーム化できる。
【図面の簡単な説明】
【図１】図１は、本発明の実施例を示す工場のクリーンルーム化装置の構成図である。
【図２】図２（Ａ）は、本発明に使用されるファンの一例構成図、図２（Ｂ）は、本発明に使用されるモータの一例構成図である。
【図３】本発明に使用されるファンのカバーとフイルターとマジック粘着テープとの説明図である。
【図４】図４（Ａ）は、工作機械の一例説明図、図４（Ｂ）は、切削作業の一例説明図である。
【符号の説明】
１…刃物（フライス）
２…工作品（工作物）
３…テーブル
４…主軸用モータ
５…送り用モータ
６…切削油用モータ
７…モータ軸
８…ファン
９…カバー
１０…エアーの流れ孔
１１…フイルター
１２…止着具
１３…ヒートシンク
１４…羽根
Ｆ…フライス盤
Ｍ…モータ
【図１】
2004108602.tif 000003
【図２】
2004108602.tif 000004
【図３】
2004108602.tif 000005
【図４】
2004108602.tif 000006